(57)【特許請求の範囲】
【請求項１】
天井梁と床梁と複数の柱とを含んで構成された建物ユニットと、
この建物ユニットの外側面に取り付けられると共に天井部及び床部を含んで構成され、かつ前記建物ユニットの居住空間を拡大する付属構造物と、
を含んで構成されたユニット建物であって、
前記付属構造物の天井部を、前記建物ユニットの天井梁近傍から延長させかつ当該天井梁及び建物ユニットの柱の少なくとも一方に片持ち支持状態で取り付けると共に、
前記付属構造物の床部を、前記建物ユニットの床梁近傍から延長させかつ当該床梁及び建物ユニットの柱の少なくとも一方に片持ち支持状態で取り付けることで、
天井部の荷重を床部に負担させない構造とし、
さらに、前記付属構造物の天井部の最外側には、当該ユニット建物の本体部の上部に組み付けられる本体屋根パネルを延長する延長屋根パネルが取り付けられていると共に、
通常サイズの第１の建物ユニットと、その桁面側に隣接して配置されかつ相互に連結されたハーフサイズの第２の建物ユニットと、によって一つの建物ユニット群が形成されていると共に、前記付属構造物が前記建物ユニット群を構成する前記第１の建物ユニット及び前記第２の建物ユニットに跨って取り付けられている、
ことを特徴とするユニット建物。
【請求項２】
前記第１の建物ユニット及び前記第２の建物ユニットは、四隅の三箇所に立設された３本の柱とこれらの柱の上端部間に接合された天井フレームと、これらの柱の下端部間に接合された床フレームと、を含んで構成されている、
ことを特徴とする請求項１記載のユニット建物。
【請求項３】
前記延長屋根パネルは、前記本体屋根パネルの軒先側に同一の傾斜角度で接続されている、
ことを特徴とする請求項１又は請求項２記載のユニット建物。
【請求項４】
前記延長屋根パネルは、前記本体屋根パネルに連続して配置されて本体屋根パネルとで一面の屋根を形成する、
ことを特徴とする請求項３記載のユニット建物。
【請求項５】
前記付属構造物は、予め工場内で組み立てられて建物ユニットの外側面に取り付けられる、
ことを特徴とする請求項１〜請求項４のいずれか１項に記載のユニット建物。
【請求項６】
前記ユニット建物は、桁面が互いに平行になるように隣接して配置された複数の箱型の建物ユニットから成る建物ユニット群を有し、その建物ユニット群の妻面側に前記付属構造物が取り付けられている、
ことを特徴とする請求項１〜請求項５のいずれか１項に記載のユニット建物。
【請求項７】
前記建物ユニット群の妻側面には、隣接する２本の柱をなくした柱省略部が設けられている、
ことを特徴とする請求項６記載のユニット建物。
【請求項８】
前記建物ユニット群の妻側面において前記柱省略部に位置する隣接する天井梁間には、双方の天井梁を連結する補強梁が設けられている、
ことを特徴とする請求項７記載のユニット建物。
【請求項９】
前記柱省略部には、予め工場内で着脱可能な仮柱が取り付けられている、
ことを特徴とする請求項７又は請求項８記載のユニット建物。
【請求項１０】
前記付属構造物は、前記建物ユニット群の各建物ユニット単位で天井部を備えており、当該付属構造物が隣接して配置された際に柱省略部にて隣接する天井構造材同士を、前記補強梁で連結した、
ことを特徴とする請求項８記載のユニット建物。
【発明の詳細な説明】
【技術分野】
【０００１】
本発明は、建物ユニットと当該建物ユニットの外側面に取り付けられて居住空間を拡大する付属構造物とを含んで構成されたユニット建物に関する。
【背景技術】
【０００２】
下記特許文献１には、箱型の建物ユニットの妻側の側面に、天井フレームと床フレームと２本の柱から成る張出しユニットを接合することにより、広い居住空間が得られるようにした技術が開示されている。
【特許文献１】特開平５−２０９４４１号公報
【発明の開示】
【発明が解決しようとする課題】
【０００３】
しかしながら、上記特許文献１に開示された先行技術による場合、天井フレームの荷重を床フレームのみで支持するため、荷重伝達部材（上部構造支持部材）として柱が必要になる。このため、張出しユニットに２本の柱が存在することとなり、外壁面に柱の無い開放的な空間（以下、このような空間を指して「ワイドビュー」と呼ぶことがある。）が得られない。昨今の需要者ニーズは多様化しており、このような外壁面に柱の無い開放的な空間を求める声も多い。従って、この点において上記先行技術は改良の余地がある。
【０００４】
本発明は上記事実を考慮し、外壁面に柱の無い開放的な空間が得られるユニット建物を得ることが目的である。
【課題を解決するための手段】
【０００５】
請求項１の発明は、天井梁と床梁と複数の柱とを含んで構成された建物ユニットと、この建物ユニットの外側面に取り付けられると共に天井部及び床部を含んで構成され、かつ前記建物ユニットの居住空間を拡大する付属構造物と、を含んで構成されたユニット建物であって、前記付属構造物の天井部を、前記建物ユニットの天井梁近傍から延長させかつ当該天井梁及び建物ユニットの柱の少なくとも一方に片持ち支持状態で取り付けると共に、前記付属構造物の床部を、前記建物ユニットの床梁近傍から延長させかつ当該床梁及び建物ユニットの柱の少なくとも一方に片持ち支持状態で取り付けることで、天井部の荷重を床部に負担させない構造とし、さらに、前記付属構造物の天井部の最外側には、当該ユニット建物の本体部の上部に組み付けられる本体屋根パネルを延長する延長屋根パネルが取り付けられていると共に、通常サイズの第１の建物ユニットと、その桁面側に隣接して配置されかつ相互に連結されたハーフサイズの第２の建物ユニットと、によって一つの建物ユニット群が形成されていると共に、前記付属構造物が前記建物ユニット群を構成する前記第１の建物ユニット及び前記第２の建物ユニットに跨って取り付けられている、ことを特徴とする。
【０００６】
請求項２の発明は、請求項１記載のユニット建物において、前記第１の建物ユニット及び前記第２の建物ユニットは、四隅の三箇所に立設された３本の柱とこれらの柱の上端部間に接合された天井フレームと、これらの柱の下端部間に接合された床フレームと、を含んで構成されている、ことを特徴とする。
【０００７】
請求項３の発明は、請求項１又は請求項２に記載のユニット建物において、前記延長屋根パネルは、前記本体屋根パネルの軒先側に同一の傾斜角度で接続されている、ことを特徴とする。
【０００８】
請求項４の発明は、請求項３記載のユニット建物において、前記延長屋根パネルは、前記本体屋根パネルに連続して配置されて本体屋根パネルとで一面の屋根を形成する、ことを特徴とする。
【０００９】
請求項５の発明は、請求項１〜請求項４のいずれか１項に記載のユニット建物において、前記付属構造物は、予め工場内で組み立てられて建物ユニットの外側面に取り付けられる、ことを特徴とする。
【００１０】
請求項６の発明は、請求項１〜請求項５のいずれか１項に記載のユニット建物において、前記ユニット建物は、桁面が互いに平行になるように隣接して配置された複数の箱型の建物ユニットから成る建物ユニット群を有し、その建物ユニット群の妻面側に前記付属構造物が取り付けられている、ことを特徴とする。
【００１１】
請求項７の発明は、請求項６記載のユニット建物において、前記建物ユニット群の妻側面には、隣接する２本の柱をなくした柱省略部が設けられている、ことを特徴とする。
【００１２】
請求項８の発明は、請求項７記載のユニット建物において、前記建物ユニット群の妻側面において前記柱省略部に位置する隣接する天井梁間には、双方の天井梁を連結する補強梁が設けられている、ことを特徴とする。
【００１３】
請求項９の発明は、請求項７又は請求項８記載のユニット建物において、前記柱省略部には、予め工場内で着脱可能な仮柱が取り付けられている、ことを特徴とする。
【００１４】
請求項１０の発明は、請求項８記載のユニット建物において、前記付属構造物は、前記建物ユニット群の各建物ユニット単位で天井部を備えており、当該付属構造物が隣接して配置された際に柱省略部にて隣接する天井構造材同士を、前記補強梁で連結した、ことを特徴とする。
【００１５】
請求項１記載の本発明によれば、建物ユニットの外側面には、天井部及び床部を含んで構成された付属構造物が取り付けられる。これにより、建物ユニットの居住空間が拡大される。
【００１６】
ここで、本発明では、付属構造物の天井部を、建物ユニットの天井梁近傍から延長させかつ当該天井梁及び建物ユニットの柱の少なくとも一方に片持ち支持状態で取り付けると共に、付属構造物の床部を、建物ユニットの床梁近傍から延長させかつ当該床梁及び建物ユニットの柱の少なくとも一方に片持ち支持状態で取り付けることで、天井部の荷重を床部に負担させない構造とした。つまり、天井部の荷重を床部で支持する従来の構造と異なる構造を採ったので、従来必要であった付属構造物の建物外側の柱を廃止することができる。
また、本発明によれば、請求項１又は請求項２に記載のユニット建物における付属構造物の天井部の最外側には、当該ユニット建物の本体部の上部に組み付けられる本体屋根パネルを延長する延長屋根パネルを取り付けることとしたので、ユニット建物の本体部の本体屋根パネルを付属構造物の設置箇所のみ特別なものにする必要がなくなる。
【００２０】
請求項４記載の本発明によれば、延長屋根パネルは、本体屋根パネルに連続して配置されて本体屋根パネルとで一面の屋根を形成するので、ユニット建物が本来備えている屋根の外観意匠（一体感）を損なうことがなく、居住空間を拡大しかつワイドビューが得られる。
【００２１】
請求項５記載の本発明によれば、付属構造物は予め工場内で組み立てられて建物ユニットの外側面に取り付けられるので、一回の輸送で建物ユニットとこれに付属する付属構造物とを建築地まで運ぶことができるという優れた効果を有する。
【００２２】
請求項６記載の本発明によれば、ユニット建物は、桁面が互いに平行になるように隣接して配置された複数の箱型の建物ユニットから成る建物ユニット群を有し、その建物ユニット群の妻面側に付属構造物が取り付けられるようにしたので、構造上納まりの良い付属構造物とすることができる。
【００２３】
請求項７記載の本発明によれば、建物ユニット群の妻側面には隣接する２本の柱をなくした柱省略部が設けられているので、建物ユニット群と付属構造物との境に柱が存在しない（障害物の存在しない）連続した広い空間が得られる。
【００２４】
請求項８記載の本発明によれば、建物ユニット群の妻側面において柱省略部に位置する隣接する天井梁間に、双方の天井梁を連結する補強梁を設けたので、柱省略部を充分に補強することができる。
【００２５】
請求項９記載の本発明によれば、柱省略部には予め工場内で着脱可能な仮柱が取り付けられているので、工場から建築地までの輸送時及び建築地でのユニット据付け時に建物ユニットが変形する等のおそれがない。
【００２６】
請求項１０記載の本発明によれば、付属構造物は、建物ユニット群の各建物ユニット単位で天井部を備えており、当該付属構造物が隣接して配置された際に柱省略部にて隣接する天井構造材同士を、補強梁で連結したので、天井部の架構面としての剛性を高くすることができる。
【発明の効果】
【００２７】
請求項１記載の本発明に係るユニット建物は、外壁面に柱の無い開放的な空間が得られるという優れた効果を有する。
また、請求項１記載の本発明に係るユニット建物は、付属構造物を設置しつつも、ユニット建物の生産性を良好に維持することができるという優れた効果を有する。
【００３０】
請求項４記載の本発明に係るユニット建物は、附属構造物の機能性を充分に発揮させながら、附属構造物を含めた建物全体の屋根の外観意匠をすっきりとしたものにすることができるという優れた効果を有する。
【００３１】
請求項５記載の本発明に係るユニット建物は、建物ユニットの輸送効率をさせることができ、工期短縮に資することができるという優れた効果を有する。
【００３２】
請求項６記載の本発明に係るユニット建物は、付属構造物を建物ユニット群の妻面側に取り付けることで全体としてバランスの良いユニット建物が得られるという優れた効果を有する。
【００３３】
請求項７記載の本発明に係るユニット建物は、居住性に優れた開放的なユニット建物が得られるという優れた効果を有する。
【００３４】
請求項８記載の本発明に係るユニット建物は、居住性に優れた開放的な大空間の確保と構造体としての強度・剛性の充分な確保の両立を図ることができるという優れた効果を有する。
【００３５】
請求項９記載の本発明に係るユニット建物は、これを構成する建物ユニットの輸送性及び据付け性を向上させることができるという優れた効果を有する。
【００３６】
請求項１０記載の本発明に係るユニット建物は、付属構造物の地震荷重・風荷重に対する変形耐力を向上させることができるという優れた効果を有する。
【発明を実施するための最良の形態】
【００３７】
以下、図１〜図５を用いて、本発明に係るユニット建物の幾つかの実施形態について説明する。
【００３８】
図１には、本実施形態に係るユニット建物の一部が斜視図にて示されている。また、図２には、図１のユニット建物に屋根を配置した状態の斜視図が示されている。
【００３９】
これらの図に示されるように、ユニット建物１０は、複数個の箱型の建物ユニット１６、１８を上下左右に連結していくことにより構成されたユニット建物本体１２と、このユニット建物本体１２の屋外側の側面に付設された付属構造物としての張出し部１４と、を含んで構成されている。
【００４０】
具体的に説明すると、この図１図示のものでは、第１の建物ユニットとしての通常サイズの建物ユニット（メインユニット）１６と、その桁面側に隣接して配置されると共にドッキングプレート等の図示しない連結手段によって相互に連結された第２の建物ユニットとしてのハーフサイズの建物ユニット（ハーフユニット）１８と、によって一つの建物ユニット群２０が形成されている。なお、建物ユニット群２０は、ユニット建物本体１２の一部を構成するものである。
【００４１】
建物ユニット１６は、四隅の三箇所に立設された３本の柱２２と、これらの柱２２の上端部間に接合された天井フレーム２４と、これらの柱の下端部間に接合された床フレーム２６と、を含んで構成されている。天井フレーム２４は、長短二種類の天井大梁２８、３０と長辺側に配置される一対の天井大梁２８間に所定の間隔で設けられた複数の天井小梁３２とによって構成されている。なお、天井フレーム２４に図示しない天井材が取り付けられることにより、天井パネルが構成されるようになっている。同様に、床フレーム２６は、長短二種類の床大梁３４、３６と、長辺側に配置される一対の床大梁３４間に所定の間隔で設けられる複数の床小梁３８とによって構成されている。なお、床フレーム２６に図示しない床材が取り付けられることにより、床パネルが構成されるようになっている。
【００４２】
建物ユニット１８も、サイズが半分である点を除いて建物ユニット１６と同様に構成されており、３本の柱４０と天井フレーム４２と床フレーム４４とを含んで構成されている。また、天井フレーム４０は長短二種類の天井大梁４６、４８と天井小梁５０とを含んで構成されており、床フレーム４４も長短二種類の床大梁５２、５４と床小梁５６とを含んで構成されている。
【００４３】
上述した建物ユニット１６と建物ユニット１８とは、柱がない部分が隣り合うように隣接して配置されており、この部分が柱省略部５８とされている。なお、この柱省略部５８には、工場出荷時には仮柱６０が取り外し可能に装着されるようになっており、建築地で建物ユニット１６、１８の据付けが終わった時点等で取り外されるようになっている。
【００４４】
また、上述した建物ユニット１６における外壁側の天井大梁３０と建物ユニット１８における外壁側の天井大梁４８とには、柱省略部５８を跨いで補強梁６２が架設されている。これにより、柱省略部５８のユニット連結状態が補強され、建物ユニット群２０内に一つの連続した広い居住空間６４が形成されている。なお、補強梁６２は、天井大梁２８等と同一断面形状の鋼材が使用されており、天井大梁３０、４８に所定間隔で設けられた図示しないブラケットを介して天井大梁３０、４８に固定されるようになっている。
【００４５】
一方、張出し部１４を構成するサブユニット６６は、天井部（天井サブフレーム）６８及び床部（床サブフレーム）７０を主要部として構成されている。天井部６８は、平面視で、メインユニットである建物ユニット１６の長辺側に配置された天井大梁２８及びサブユニットである建物ユニット１８の長辺側の天井大梁４６の延長線上にそれぞれ配置された一対の天井片持ち梁７２と、これらの天井片持ち梁７２の先端部同士を繋ぐ天井フレーム軒先梁７４とによって平面視でコ字状に構成されている。各天井片持ち梁７２の基端部は、柱２２、４０の上端部に溶接により剛接合されている。
【００４６】
また、床部７０は、平面視で、メインユニットである建物ユニット１６の長辺側に配置された床大梁３４及びハーフユニットである建物ユニット１８の長辺側の床大梁５２の延長線上にそれぞれ配置された一対の床片持ち梁７６と、これら一対の床片持ち梁７６の先端部同士を繋ぐ床フレーム軒先梁７８とによって平面視でコ字状に構成されている。さらに、互いに対向して配置される床フレーム軒先梁７８と２本の床大梁３６、５４との間には、所定の間隔で複数の別の床片持ち梁８０が配設されている。これらの床片持ち梁７６、８０の基端部は、柱２２、４０の下端部に溶接により剛接合されている。
【００４７】
補足すると、上記張出し部１４には、外壁側の柱が配置されていなく、そのため天井部６８は天井フレーム２４側に片持ち支持され、床部７０は床フレーム２６側に片持ち支持される構成、即ち天井部６８及び後述する屋根部８４の荷重が床部７０に伝達されないようになっている。これにより、建物ユニット１８内の居住空間８２が建物ユニット群２０の居住空間６４と相互に連通され、更に広い空間が得られる。なお、この図１に示される実施形態では、一対の天井片持ち梁７２の基端部を柱２２、４０の上端部側面に剛接合しているが、これに限らず、天井フレーム２４の一部としての短柱の上端部側面に剛接合する構成を採ってもよい。この場合、柱が上下三分割されており、上端部が天井仕口部としての短柱として天井フレーム側に組み込まれ、下端部が床仕口部としての短柱として床フレーム側に組み込まれる。
【００４８】
また、上述したサブユニット６６の壁荷重は天井大梁３０、４８で負担することがないように接合部にルーズ孔等が形成されている。
【００４９】
図２に示されるように、上述したユニット建物本体１２の上部には、屋根部８４の大半を構成する本体屋根パネル８６が据え付けられている。本体屋根パネル８６の軒先８６Ａは建物ユニット群２０を越えてサブユニット６６の途中まで張出している。サブユニット６６の上部には、天井片持ち梁７２の半分程度の長さの延長屋根パネル８８が据え付けられている。延長屋根パネル８８の屋根面の傾斜角度は、本体屋根パネル８６の屋根面の傾斜角度に一致されている。従って、本体屋根パネル８６の軒先側に延長屋根パネル８８を接続すると、単一平面状の連続した一面が形成されるようになっている。
【００５０】
（作用・効果）
次に、本実施形態の作用並びに効果について説明する。
【００５１】
まず、必要個数の建物ユニット１６、１８、サブユニット６６等が予め工場内で生産される。このとき、建物ユニット１６、１８には仮柱２２が設置される。また、サブユニット６６も本実施形態のように複数個の建物ユニット１６、１８に跨っていない場合には、建物ユニット１６或いは建物ユニット１８に予め組みつけられる。このようにしてから、工場から建築地まで輸送車両で輸送される。建築地では、クレーンを使って、輸送した建物ユニット１６、１８等を順次左右上下に据え付けていく。この時点では、仮柱２２はまだ撤去されない。
【００５２】
図１に示される例の場合、建物ユニット群２０が構築された段階で、外壁面側の天井大梁３０、４８に補強梁６２が固定されて、柱省略部５８となる部分が補強される。次に、サブユニット６６を構成する天井部６８及び床部７０が、ユニット建物本体１２である建物ユニット群２０の外壁面側に取り付けられる。具体的には、予め平面視でコ字状に組まれたサブユニット６６における天井部６８の一対の天井片持ち梁７２の基端部が、柱２２、４０の上端部に溶接により剛接合される。次に、予め平面視で櫛状に組まれたサブユニット６６の床部７０の一対の床片持ち梁７６及び複数の床片持ち梁８０の基端部が柱２２、４０の下端部に溶接により剛接合される。そして、最後に仮柱２２が撤去されて柱省略部５８が形成される。
【００５３】
その後、ユニット建物本体１２上に屋根部８４の本体屋根パネル８６が据え付けられると共にサブユニット６６上に延長屋根パネル８８が据え付けられる。また、サブユニット６６の外側面には、全面ガラス等が嵌め込まれて仕上げられる。
【００５４】
上記により、建物ユニット群２０内の広い居住空間６４とサブユニット６６内の居住空間８２とが一体となり、より広い開放的な居住空間が形成される。また、張出し部１４にあっては柱によって視界が遮られないワイドビューが得られる。
【００５５】
なお、上記の組付手順はあくまでも一例であり、これに限らず、他の手順によってユニット建物１０を構築してもよい。
【００５６】
このように本実施形態では、張出し部１４を構成するサブユニット６６を天井部６８及び床部７０のみで構成し、これらの天井部６８及び床部７０を片持ち支持状態として建物ユニット１６、１８の柱２２、４０の上端部に剛接合したので、従来のように張出し部１４の外壁面側に柱を設けて天井部６８及びその上方の屋根部分の荷重を床部７０に伝達する必要がない。すなわち、天井部６８及び屋根部分の荷重を床部７０に負担させなくて済むので、張出し部１４の外壁面側の柱を廃止することができる。その結果、張出し部１４の外壁面に柱の無い開放的な空間が得られる。
【００５７】
また、サブユニット６６の天井部６８の最外側に延長屋根パネル８８を配置し、ユニット建物本体１２の上部に設置される本体屋根パネル８６の軒先と同一傾斜角度で接続したので、ユニット建物１０のユニット建物本体１２の本体屋根パネル８６を張出し部１４の設置箇所のみ特別なものにする必要がなくなる。このため、張出し部１４を設置しつつも、ユニット建物１０の生産性を良好に維持することができる。
【００５８】
さらに、延長屋根パネル８８は、本体屋根パネル８６に連続して配置されて本体屋根パネル８６とで一面の屋根を形成するので、ユニット建物１０が本来備えている屋根の外観意匠（一体感）を損なうことがなく、居住空間を拡大しかつワイドビューが得られる。その結果、張出し部１４の機能性を充分に発揮させながら、張出し部１４を含めた建物全体の屋根の外観意匠をすっきりとしたものにすることができる。
【００５９】
また、ユニット建物１０は、桁面が互いに平行になるように隣接して配置された複数の箱型の建物ユニット１６、１８から成る建物ユニット群２０を有し、その建物ユニット群２０の妻面側に張出し部１４が取り付けられるようにしたので、構造上納まりの良い付属構造物とすることができる。その結果、全体としてバランスの良いユニット建物１０が得られる。
【００６０】
さらに、建物ユニット群２０の妻側面には隣接する２本の柱をなくした柱省略部５８が設けられているので、建物ユニット群２０と付属構造物である張出し部１４との境に柱が存在しない（障害物の存在しない）連続した広い空間が得られる。その結果、居住性に優れた開放的なユニット建物１０が得られる。
【００６１】
また、建物ユニット群２０の妻側面において柱省略部５８に位置する隣接する天井大梁３０、４８間に、双方の天井大梁３０、４８を連結する補強梁６２を設けたので、柱省略部５８を充分に補強することができる。その結果、居住性に優れた開放的な大空間の確保と構造体としての強度・剛性の充分な確保の両立を図ることができる。
【００６２】
さらに、柱省略部５８には予め工場内で着脱可能な仮柱２２が取り付けられているので、工場から建築地までの輸送時及び建築地でのユニット据付け時に、建物ユニット１６、１８が変形する等のおそれがない。よって、建物ユニット１６、１８の輸送性及び据付け性を向上させることができる。
【００６３】
〔本実施形態の補足説明〕
（１）  上述した本実施形態では、補強梁６２を使ったワイドスパン工法を採用したユニット建物１０を例にして説明したが、これに限らず、他の構成を採ってもよい。
【００６４】
例えば、図３に示される例では、建物ユニット１６、１８が４本の柱２２を備えており、柱省略部５８は形成されていない。この場合、サブユニット１００は、ユニットサイズごとに組まれたものが使用される。具体的には、図３図示の例では、通常の建物ユニット１６側には、そのユニットサイズに合わせて平面視でコ字状に組まれた天井部（天井サブフレーム）１０２と、平面視でＥ字状に組まれた床部（床サブフレーム）１０４とが使用され、又ハーフユニットの建物ユニット１８側には、そのユニットサイズに合わせて平面視でコ字状に組まれた小型の天井部（天井サブフレーム）１０６と、同一形状及び大きさに組まれた床部（床サブフレーム）１０８とが使用されている。
【００６５】
上記構成であっても、張出し部１４による居住空間６４の拡張とワイドビューは得られる。また、このようにユニット単位でサブユニット１００の天井部１０２、１０６、床部１０４、１０８が用いられる場合には、予め工場内で天井部１０２（、１０６）及び床部１０４（、１０８）を建物ユニット１６（、１８）に先付けしてしまえるので、一回の輸送で建物ユニット１６（、１８）とこれに付属する天井部１０２（、１０６）及び床部１０４（、１０８）とを建築地まで運ぶことができる。建物ユニット１８側も同様のことがいえる。その結果、建物ユニット１６、１８の輸送効率をさせることができ、工期短縮に資することができる。
【００６６】
さらに、予め工場内で建物ユニット１６、１８に天井部１０２、１０６及び床部１０４、１０８を溶接により剛接合するところまで行えるので、溶接の品質管理が容易になり、溶接精度を上げることができる。
【００６７】
（２）  上述した本実施形態では、サブユニット１００を建物ユニット１６、１８のユニット単位で分割することなく、建物ユニット群２０のサイズに合致させたが、これに限らず、図４及び図５に示されるようにサブユニット１００を分割させてもよい。この場合、前記（１）で説明した天井部１０２、１０６及び床部１０４、１０８の構成をそのまま使えばよく、図５の接合部の詳細平面図に示されるように、柱省略部５８の位置に隣接して配置される一対の天井片持ち梁７２の基端部は、補強梁６２に剛接合すればよい。なお、補強梁６２はブラケット６３を介して天井大梁３０、４８に接合されている。また、隣接する天井仕口部１１０は、接続部材（ドッキングプレート）１１２によって相互に連結されている。
【００６８】
このようにすると、柱省略部５８にて隣接する天井片持ち梁７２同士を、補強梁６２で連結するのと同じ効果が得られ、天井部１０２、１０６の架構面としての剛性を高くすることができる。その結果、サブユニット１００の地震荷重・風荷重に対する変形耐力を向上させることができる。
【図面の簡単な説明】
【００６９】
【図１】ユニット建物本体に張出し部が設置された状態を示す斜視図である。
【図２】図１に示される状態に更に屋根が載置された状態を示す斜視図である。
【図３】柱省略部を設けないタイプにおいて、建物ユニットのユニットサイズごとにサブユニットを分割した実施形態を示す斜視図である。
【図４】柱省略部を設けるタイプにおいて、建物ユニットのユニットサイズごとにサブユニットを分割した実施形態を示す斜視図である。
【図５】図４の天井片持ち梁の接合構造を示す平面図である。
【符号の説明】
【００７０】
１０      ユニット建物
１２      ユニット建物本体
１４      張出し部
１６      建物ユニット
１８      建物ユニット
２０      建物ユニット群
２２      柱
２８      天井大梁
３０      天井大梁
３４      床大梁
３６      床大梁
４０      柱
４６      天井大梁
４８      天井大梁
５２      床大梁
５４      床大梁
５８      柱省略部
６０      仮柱
６２      補強梁
６４      居住空間
６８      天井部
７０      床部
８４      屋根部
８６      本体屋根パネル
８８      延長屋根パネル
１０２    天井部
１０４    床部
１０６    天井部
１０８    床部
【図１】
0005202925.tif 000002
【図２】
0005202925.tif 000003
【図３】
0005202925.tif 000004
【図４】
0005202925.tif 000005
【図５】
0005202925.tif 000006